(57)【要約】【課題】本発明の目的は必要とする機器を選択して収納装置本体に対し着脱自在に組み込み収納できると共に収納装置本体に組み込んだ機器に電力を供給できるようにした内視鏡システム収納装置を提供することにある。【解決手段】本発明は、内視鏡検査に必要とされる任意の機器１１〜１４を選別し、各機器１１〜１４の電源プラグ部１５及び信号プラグ部１６を絶縁トランス４の電源レセプタクル部６及び信号レセプタクル部７に接続すると共に、収納装置１の収納部５に収納する。各機器１１〜１４は絶縁トランス４の電源レセプタクル部６及び信号レセプタクル部７を介して電力の供給と各機器同士の信号の伝達が行なわれる。【選択図】    図４
2004209144.tif 000002
【特許請求の範囲】
【請求項１】
内視鏡検査機器を収納する内視鏡システム収納装置において、
複数の内視鏡検査機器から適宜組み合わせて使用する複数の内視鏡検査機器を選択し、これらを着脱自在に収納できる収納部を有し、上記収納部には収納した内視鏡検査機器にそれぞれ接続可能な複数の接続部を設けたことを特徴とする内視鏡システム収納装置。
【請求項２】
請求項１において、上記収納装置側の接続部は、上記収納部に収納した内視鏡検査機器の筐体部に設けた機器側接続部に対し直接に接続するものであることを特徴とする内視鏡システム収納装置。
【請求項３】
請求項１または請求項２において、上記収納装置側の接続部は、上記収納部に収納した内視鏡検査機器に接続し、電力の供給及び信号の伝達を行うものであることを特徴とする内視鏡システム収納装置。
【発明の詳細な説明】
【０００１】
【発明の属する技術分野】
本発明は内視鏡検査機器を収納する内視鏡システム収納装置に関する。
【０００２】
【従来の技術】
一般に内視鏡検査にあたってはＴＶモニタ、ビデオプロセッサ、光源装置、ストロボ光源装置、送気送水装置、吸引装置、記録装置、超音波観測装置または高周波焼灼電源装置などの各種内視鏡検査機器を適宜組み合わせて使用する。
【０００３】
特に在宅で内視鏡検査をする場合は上記各機器を全て用意する必要があった。これらの機器は通常、それぞれが個々の筐体に対し一体的に組み込まれており、別々の構造になっている。内視鏡検査をする場合は各々の機器を電源ケーブルで電源に接続して電力を供給するようにする共に、通信ケーブルで各々の機器を接続して信号の伝達を行なうようにする。
【０００４】
このような内視鏡システムでは個別に機器を運搬することが必要であるため、負担が増し、また、使用できる状態にセッティングする作業が非常に煩雑であった。
【０００５】
上記の問題を解決するために、特許文献１（米国特許第５，７０１，９０４号明細書）のように、運搬ケースにＴＶモニタ、ビデオプロセッサ、光源などの内視鏡周辺機器を一体的に組み込み、それらの運搬・セッティングを容易にする内視鏡システム収納装置が提案されている。
【０００６】
また、特許文献２（特開昭６１−７５３１５号公報）には、工業の分野で使用される内視鏡ユニット装置であるが、内視鏡の挿入部を巻き取るドラムを回転自在に取り付けたユニット本体の収納部位に対し、ビデオプロセッサと光源装置のみを個々に収納できるようにしたものが提案されている。
【０００７】
【特許文献１】米国特許第５，７０２，００４号明細書（図１）
【０００８】
【特許文献２】特開昭６１−７５３１５号公報（図１）
【０００９】
【発明が解決しようとする課題】
内視鏡検査にあたっては、ＴＶモニタ、ビデオプロセッサ、光源装置、ストロボ光源装置、送気送水装置、吸引装置、記録装置、超音波観測装置及び高周波焼灼電源装置等の内視鏡検査機器を症例等の状況に応じて選択して使用する。
【００１０】
しかし、特許文献１に示す内視鏡システム収納装置では特定の機器を運搬ケースに対し一体的に組み付けておくため、必要な機器を選択的に収納できず、機器全部を一緒に運搬する必要があった。また、一部の機器が故障した場合には内視鏡システム一式をセットで修理に出す必要があった。さらに、一部の機器のみを後継機に更新したい場合でもシステム全体を新しいものと交換する必要があった。
【００１１】
特許文献２に示す内視鏡ユニット装置では特定の機器のみをユニット本体に対し着脱自在に収納するようにしているため、医療内視鏡検査のように使用状況に応じて必要とする機器の選択とその必要とする機器だけを収納できない。いかなる内視鏡検査にも対応すべく全ての機器をユニット本体に収納しようとすると、全ての機器のスペースをユニット本体に設ける必要上、ユニット本体が嵩み、内視鏡ユニット装置全体が大きなものとなってしまう。
【００１２】
本発明は上記課題に着目してなされたもので、その目的とするところは必要とする機器を選択して収納装置本体に対し着脱自在に組み込み収納できると共に収納装置に収納した機器に接続できるようにした内視鏡システム収納装置を提供することにある。
【００１３】
【課題を解決するための手段および作用】
請求項１に係る発明は、内視鏡検査機器を収納する内視鏡システム収納装置において、複数の内視鏡検査機器から適宜組み合わせて使用する複数の内視鏡検査機器を選択し、これらを着脱自在に収納できる収納部を有し、上記収納部には収納した内視鏡検査機器にそれぞれ接続可能な複数の接続部を設けたものである。
内視鏡検査に必要とされる機器を選別し、選択した内視鏡検査機器を収納装置に収納すると、それらの機器を使用できるようになる。
【００１４】
【発明の実施の形態】
本発明の第１実施形態に係る内視鏡システム収納装置について図１乃至図４を参照して説明する。
【００１５】
図１に示すように本実施形態に係る内視鏡システム収納装置１は収納ケース本体２を備える。この収納ケース本体２には収納凹部３が形成されている。収納凹部３の片隅には絶縁トランス４が設置されており、収納凹部３に残る空間部分を利用して内視鏡検査機器を収納する収納部５を形成している。
【００１６】
図２は収納部５内から見た絶縁トランス４の正面図であり、絶縁トランス４の正面には電源レセプタクル部６及び信号レセプタクル部７の組みからなる装置側接続部８が複数組み所定間隔で設置されている。電源レセプタクル部６は収納部５に収納した機器側接続部１７に接続され、電源から絶縁トランス４を介して機器側に電力をそれぞれ供給するものである。また、信号レセプタクル部７は収納部５に収納した他の機器または必要に応じて外部の機器との間で信号を伝達するためにその収納部５に収納した機器側接続部１７に接続される。また、収納ケース本体２には絶縁トランス４に接続される電源コード９が設けられている。
【００１７】
図４に示すように、収納ケース本体２の収納部５内には使用する状況に応じて選択した複数の内視鏡周辺機器を設置できる。内視鏡周辺機器としては光源装置１１、ビデオプロセッサ１２、吸引装置１３または記録装置１４等があり、これらの機器前面には図３に示すように電源プラグ部１５及び信号プラグ部１６の組みの接続部１７がそれぞれ設けられている。これら機器側接続部１７の電源プラグ部１５及び信号プラグ部１６は図４に示すように収納部５内に機器を嵌め込んだ時、この機器に対応する装置側接続部８の電源レセプタクル部６及び信号レセプタクル部７に対してそれぞれ接続される。
【００１８】
図３に示すように、内視鏡周辺機器は収納ケース本体２の収納部５内に密に配置できるようにそれらの機器本体（筐体部）２１は直方体形状に形成され、図４に示すように同じ向きに並べてコンパクトに配置できるようになっている。
【００１９】
図１に示すように、上記収納ケース本体２には上蓋としてのカバー２５が枢着され、このカバー２５を閉じることにより収納凹部３内の絶縁トランス４及び収納部５に収納した全ての機器を覆うことができるようになっている。
【００２０】
また、図１に示すように、カバー２５の内面には液晶モニタ２６が設けられている。この液晶モニタ２６はカバー２５を開いた状態で術者等が観察できるようになっている。このため、収納ケース本体２にカバー２５を接続する接続部２７はカバー２５が任意の開き角度で止まるように構成し、使用状況に応じて液晶モニタ２６が見やすい開き角度にカバー２５を止めることができるようになっている。また、カバー２５を開いたときに液晶モニタ２６が自動的に点灯し、カバー２５が閉じたときには液晶モニタ２６を自動的に消灯するスイッチ手段（図示せず）を組み込んでもよい。
【００２１】
収納ケース本体２の一側壁には取手２８が設けられている。この取手２８を用いてカバー２５を閉じた状態の上記内視鏡システム収納装置１全体を吊り下げて運搬できるようになっている。
【００２２】
また、図８に示すように、この内視鏡システム収納装置１の下部に伸縮自在のポール部４１およびキャスター部４２を設けて内視鏡システム収納装置１の高さの選択と設置位置の選択ができるようにしてもよい。
【００２３】
次に、本実施形態に係る内視鏡システム収納装置１の使用方法について説明する。まず、図３に示す機器１１〜１４の中からその内視鏡検査に必要とされる任意の３つの機器１１〜１３を選択し、図４に示すように収納部５内に並べて収納する。機器１１〜１３の収納位置交換は可能である。収納部５内に機器１１〜１３を収納すると、その収納した機器側の電源プラグ部１５及び信号プラグ部１６がそれぞれ絶縁トランス４側の電源レセプタクル部６及び信号レセプタクル部７に接続した状態になる。収納部５に収納した機器１１〜１３には絶縁トランス４の電源レセプタクル部６及び信号レセプタクル部７を介して電力が供給されると共に各機器同士の信号伝達を行うことができる。そして、選択した３つの機器１１〜１３を用いて内視鏡を使用する。
【００２４】
本実施形態の構成によれば、症例にあわせて使用しようとする機器１１〜１４を選択して内視鏡システム収納装置１に設置し、それらの機器１１〜１４を使用できるようにするため、不要な機器１１〜１４まで一緒に運搬する必要が無い。
【００２５】
また、故障や買い替えの際に該当機器１１〜１４のみを交換すればよいためシステム全体の交換に比較して費用が安くすむ。
【００２６】
さらに、各機器１１〜１４に設けられた電源プラグ部１５及び信号プラグ部１６にて直接絶縁トランス４に接続し、電力供給及び各機器間の信号伝達が行われるため、その間ではコード類が不要となり、取り扱いが煩雑にならない。
【００２７】
本発明の第２実施形態に係る内視鏡システム収納装置について図５乃至図６を参照して説明する。
【００２８】
図５に示すように、内視鏡システム収納装置１は収納ケース本体２と上蓋としてのカバー２５を備える。カバー２５の内面には液晶モニタ２６が設けられ、収納ケース本体２内にはバッテリー光源付内視鏡などを収納するための収納部３１、液晶モニタ２６を駆動するためのバッテリー部３２、液晶モニタ２６の電源をオン／オフするためのスイッチ３３等が設けられている。また、カバー２５は接続部３４によって収納ケース本体２に対して枢着され、接続部３４はカバー２５を任意の角度に停止させておけるので、液晶モニタ２６の角度を選定して調整できるようになっている。
【００２９】
さらに、本実施形態の内視鏡システム収納装置１では図６に示すように、カバー２５の外面にも液晶モニタ２６と同様の画面を表示する補助モニタ３５が設けられている。
【００３０】
カバー２５を閉めると、カバー２５によりスイッチ３３が押し込まれ、液晶モニタ２６，３５の電源がオフとなる。
【００３１】
上記構成によれば、在宅で内視鏡検査を行う場合でも機器のセッティングなどの煩雑な作業が不要である。また、液晶モニタ２６と補助モニタ３５によって、術者、患者の位置関係に拘束されずに同じ内視鏡画像を同時に観察することができる。
【００３２】
なお、図７に示すように、液晶モニタ２６を内面に取り付けたカバー２５に対し、別の枠部材３７を回動自在に取り付け、この別の枠部材３７に補助モニタ３５を取り付け、液晶モニタ２６と補助モニタ３５の表示面の向き角度を相対的に調整するようにしてもよい。ここで、カバー２５と枠部材３７は接続部３８を介して連結され、接続部３８は使用状況に応じて液晶モニタ２６および補助モニタ３５が見やすい任意の開き角度に止まるように構成されている。
【００３３】
図８は本発明の第３実施形態に係る内視鏡システム収納装置１を示す。この内視鏡システム収納装置１はその収納ケース本体２の下部に伸縮自在のポール部４１およびキャスター部４２を設けて内視鏡システム収納装置１の高さの設定と設置位置の選択が可能なトロリー形式としたものである。
【００３４】
ここでの内視鏡システム収納装置１は収納ケース本体２の正面部分に開口した複数段の収納部４３を形成し、各収納部４３に内視鏡周辺機器を差し込んで各内視鏡周辺機器を収納ケース本体２に収納できるようにした、いわゆる引出し形式のものである。機器収納部は収納ケース本体２の前面においてのみ開口しており、各機器収納部の開口が配置された収納ケース本体２の前面は蓋４５によって覆われるようになっている。蓋４５の内面には液晶モニタ４６が設けられている。蓋４５は収納ケース本体２の上部前端に接続部４７を介して回動自在に接続されている。接続部４７は使用状況に応じて液晶モニタ４６が見やすい開き角度に蓋４５が止まるように構成されている。
【００３５】
本内視鏡システム収納装置１は使用時に蓋４５を開き、これにより使用可能となる。また、本内視鏡システム収納装置１はトロリー形式であるため、収納ケース本体２の運搬が容易であり、さらに伸縮自在なポール部４１によって設置する高さも任意に調整できる。普段または運搬時には蓋４５を閉めるので、機器の脱落や機器などが他の物に当って受ける衝撃により破損または故障することもない。
【００３６】
なお、本発明は上記実施形態のものに限らず、種々の変形例もあり得るものである。
【００３７】
【発明の効果】
以上説明したように本発明によれば、光源装置やビデオプロセッサ、吸引装置などの内視鏡検査機器を症例にあわせて選択し、これらを内視鏡システム収納装置に収納することができる。このため、不要な内視鏡検査機器を運搬したりする必要がない。また、各内視鏡検査機器の故障や買い替えの際に該当機器のみを交換すればよいため、システム全体の交換に比較して費用が安くすむ。さらに、各内視鏡検査機器を収納装置の接続部に接続することにより電力供給や各内視鏡検査機器間の信号伝達等が行われるため、外部に引き回すコード類が不要となり、取り扱いが煩雑にならない。
【図面の簡単な説明】
【図１】本発明の第１実施形態に係る内視鏡システム収納装置のカバーを開いた状態の斜視図。
【図２】図１中Ａ矢視方向から絶縁トランスを見た絶縁トランスの正面図。
【図３】本発明の第１実施形態に係る内視鏡システム収納装置に収納する機器群の斜視図。
【図４】本発明の第１実施形態に係る内視鏡システム収納装置に機器を収納した状態での斜視図。
【図５】本発明の第２実施形態に係る内視鏡システム収納装置のカバーを開いた状態の斜視図。
【図６】本発明の第２実施形態に係る内視鏡システム収納装置のカバーを開いた状態の側面図。
【図７】本発明の第２実施形態に係る内視鏡システム収納装置の変形例を示すカバーを開いた状態での側面図。
【図８】本発明の第３実施形態に係る内視鏡システム収納装置のカバーを開いた状態での斜視図。
【符号の説明】
１…内視鏡システム収納装置、２…収納ケース本体、３…収納凹部
４…絶縁トランス、５…収納部、６…電源レセプタクル部
７…信号レセプタクル部、８…接続部、９…電源コード、
１１…光源装置、１２…ビデオプロセッサ、１３…吸引装置
１４…記録装置、１５…電源プラグ部、１６…信号プラグ部
１７…接続部、２１…機器本体、２５…カバー、２６…液晶モニタ
【図１】
2004209144.tif 000003
【図２】
2004209144.tif 000004
【図３】
2004209144.tif 000005
【図４】
2004209144.tif 000006
【図５】
2004209144.tif 000007
【図６】
2004209144.tif 000008
【図７】
2004209144.tif 000009
【図８】
2004209144.tif 000010